(57)【要約】【課題】単焦点だけで評価していた固体撮像素子の光学特性が、ズームカメラ仕様に対応するテレ端、ワイド端で評価することができる固体撮像素子の検査装置を提供する。【解決手段】電極にプローブ針１７ａを接触させた固体撮像素子に所定条件の光を照射しながら、固体撮像素子に対して信号印加と信号読み出しを行う固体撮像素子の検査装置１００であって、固体撮像素子に向けて照明を行う光源２１と、光源２１からの光を固体撮像素子に導く光学系２３とを有し、光学系２３が、光軸を固体撮像素子に向ける光学レンズ２５と、光学レンズ２５を光軸と平行に移動させる焦点距離調整部２７とを備えた。【選択図】図１
2007103787.tif 000002
【特許請求の範囲】
【請求項１】
電極にプローブ針を接触させた固体撮像素子に所定条件の光を照射しながら、該固体撮像素子に対して信号印加と信号読み出しを行う固体撮像素子の検査装置であって、
前記固体撮像素子に向けて照明を行う光源と、
前記光源からの光を前記固体撮像素子に導く光学系と、を有し、
前記光学系が、光軸を前記固体撮像素子に向ける光学レンズと、該光学レンズを前記光軸と平行に移動させる焦点距離調整部とを備えたことを特徴とする固体撮像素子の検査装置。
【請求項２】
前記光学系が、絞り値を変更する絞り値変更部を、前記光学レンズと前記固体撮像素子との間に備えたことを特徴とする請求項１記載の固体撮像素子の検査装置。
【請求項３】
前記焦点距離調整部と、前記絞り値変更部とが、測定制御部から送出される焦点距離制御信号と、絞り値制御信号とによって自動制御されることを特徴とする請求項２記載の固体撮像素子の検査装置。
【請求項４】
前記測定制御部には、異なるレンズタイプに対応する複数の焦点距離値及び絞り値を格納した記憶手段が接続され、
前記測定制御部が、被検査対象となる前記固体撮像素子の種別に応じた焦点距離値及び絞り値を該記憶手段から読み出して対応する前記焦点距離制御信号及び前記絞り値制御信号を、前記焦点距離調整部と前記絞り値変更部とのそれぞれに送出することを特徴とする請求項３記載の固体撮像素子の検査装置。
【請求項５】
前記測定制御部に、前記固体撮像素子の種別を入力する入力操作部と、照射光により前記固体撮像素子に生じた電気信号を表示する表示部とが接続されたことを特徴とする請求項４記載の固体撮像素子の検査装置。
【発明の詳細な説明】
【技術分野】
【０００１】
本発明は、固体撮像素子の光学特性を評価する固体撮像素子の検査装置に関する。
【背景技術】
【０００２】
近年、固体撮像素子の光学サイズの縮小化やこれを組み込む撮像装置の小型化とともに光学レンズと固体撮像素子との距離が縮まってきている。このため、実際の固体撮像素子において、その受光面の中央部分では平行光の成分が多く、周辺部分では斜め光の成分が多くなっている。つまり、上記のような固体撮像素子を評価する評価装置では、実際の光学系によって生成される光の成分に十分な対応がとれていないため、正確な特性評価を行えないという問題が生じている。
【０００３】
このように不具合を解消したものに、例えば特許文献１に開示される固体撮像素子の評価装置がある。この固体撮像素子の評価装置は、固体撮像素子の電極パッドに接触するプローブ針を備えるプローブカードと、固体撮像素子の受光面に対向する位置に配置される光源と、光源と固体撮像素子との間に配置され、光源から出射される光を通過して固体撮像素子へ入射するにあたり、固体撮像素子の受光面における中央部分から周辺部分へ向かうに従い受光面に対する略垂直方向の光量より斜め方向の光量を強くする光学系とを備えている。
【０００４】
このような構成とすることにより、光源から出射される光を光学手段に通すことで、固体撮像素子の受光面における中央部分から周辺部分に向かうに従い受光面に対する略垂直方向の光量より斜め方向の光量を強くするようにしている。これにより、実際の使用状態での受光面位置に対応した光の入射角度及びその光量と、評価時における受光面位置に対応した光の入射角度及びその光量とを合わせるようにしている。
【特許文献１】特開平１１−２６５２１号公報
【発明の開示】
【発明が解決しようとする課題】
【０００５】
ところで、今日では短射出瞳距離の固体撮像素子（ＣＣＤ；Charge Coupled Device）が搭載される携帯電話用カメラにも光学ズーム機能が搭載されつつある。このため、固体撮像素子もそれに応じたテレ端（望遠端）、ワイド端（広角端）の光学条件で性能保障（例えば画面の隅が中央部より暗くなるシェーディング等に対する保障）が求められつつある。
固体撮像素子は、携帯電話、デジタルカメラなどに使用される場合、回路基板等に実装されて上面にズームレンズが配置され、テレ・ワイド撮影を可能にしている。ところが、このような撮像装置に用いる固体撮像素子の検査においては、ズームレンズを用いる実使用状態でなく、単焦点のレンズにより光像を結像させてシェーディングや画像歪みなどの特性評価を行っていた。したがって、特に、高画素数、高画質では、テレ撮影時とワイド撮影時とで、光学特性が変化するために、撮像画像にシェーディングなどの欠陥が残ることが目立つようになってきた。
また、上記特許文献１に開示される固体撮像素子の評価装置は、固体撮像素子の受光面における中央部分から周辺部分へ向かうに従い受光面に対する略垂直方向の光量より斜め方向の光量を強くする光学系を備えることにより、実際の使用状態での受光面位置に対応した光の入射角度及びその光量と、評価時における受光面位置に対応した光の入射角度及びその光量とを合わせるようにしているが、光学系は固定であるため、異なる光学特性に対応した複数種類の固体撮像素子を検査することはできなかった。
本発明は上記状況に鑑みてなされたもので、従来、単焦点だけで評価していた固体撮像素子の光学特性が、ズームカメラ仕様に対応するテレ端、ワイド端で評価することができる固体撮像素子の検査装置を提供し、もって、広範囲の光学特性が保障された固体撮像素子を得ることを目的とする。
【課題を解決するための手段】
【０００６】
本発明に係る上記目的は、下記構成により達成される。
（１）電極にプローブ針を接触させた固体撮像素子に所定条件の光を照射しながら、該固体撮像素子に対して信号印加と信号読み出しを行う固体撮像素子の検査装置であって、
前記固体撮像素子に向けて照明を行う光源と、
前記光源からの光を前記固体撮像素子に導く光学系と、を有し、
前記光学系が、光軸を前記固体撮像素子に向ける光学レンズと、該光学レンズを前記光軸と平行に移動させる焦点距離調整部とを備えたことを特徴とする固体撮像素子の検査装置。
【０００７】
この固体撮像素子の検査装置によれば、焦点距離調整部によって光学レンズを移動させることで、固体撮像素子に照射させる光の焦点距離が可変可能となる。これにより、従来、単焦点だけで評価していた固体撮像素子の光学特性が、ズームカメラ仕様に対応するテレ端、ワイド端で評価することができるようになる。
【０００８】
（２）前記光学系が、絞り値を変更する絞り値変更部を、前記光学レンズと前記固体撮像素子との間に備えたことを特徴とする（１）項記載の固体撮像素子の検査装置。
【０００９】
この固体撮像素子の検査装置によれば、絞り値変更部によって固体撮像素子に照射される光量を調節することで、ズームカメラ仕様に対応するテレ端、ワイド端における光量が正確に設定可能となる。これにより、光量調節が行われない場合に比べ、光学ズームカメラ特性に対応したテレ端、ワイド端での評価をより高精度に行うことができる。
【００１０】
（３）前記焦点距離調整部と、前記絞り値変更部とが、測定制御部から送出される焦点距離制御信号と、絞り値制御信号とによって自動制御されることを特徴とする（２）項記載の固体撮像素子の検査装置。
【００１１】
この固体撮像素子の検査装置によれば、測定制御部から焦点距離調整部へ焦点距離制御信号が送出されるとともに、絞り値変更部へ絞り値制御信号が送出されることにより、焦点距離調整部での光学レンズが所定位置に移動されるとともに、固体撮像素子に照射される光量が所定量に調節され、光学ズームカメラ特性に対応したテレ端、ワイド端のそれぞれの光学条件が自動で設定可能となる。
【００１２】
（４）前記測定制御部には、異なるレンズタイプに対応する複数の焦点距離値及び絞り値を格納した記憶手段が接続され、
前記測定制御部が、被検査対象となる前記固体撮像素子の種別に応じた焦点距離値及び絞り値を該記憶手段から読み出して対応する前記焦点距離制御信号及び前記絞り値制御信号を、前記焦点距離調整部と前記絞り値変更部とのそれぞれに送出することを特徴とする（３）項記載の固体撮像素子の検査装置。
【００１３】
この固体撮像素子の検査装置によれば、固体撮像素子の種別に応じた焦点距離値及び絞り値を格納した記憶手段が測定制御部に接続されているので、複数種類の固体撮像素子を測定する場合においても、被検査対象となる固体撮像素子に応じた焦点距離値及び絞り値が記憶手段から読み出され、これらに対応する焦点距離制御信号及び絞り値制御信号によって、焦点距離調整部と絞り値変更部とを制御できる。この結果、複数種類の固体撮像素子の中から任意の固体撮像素子を、当該固体撮像素子固有の光学条件下で測定することができる。
【００１４】
（５）前記測定制御部に、前記固体撮像素子の種別を入力する入力操作部と、照射光により前記固体撮像素子に生じた電気信号を表示する表示部とが接続されたことを特徴とする（４）項記載の固体撮像素子の検査装置。
【００１５】
この固体撮像素子の検査装置によれば、被検査対象となる固体撮像素子の種別を入力操作部を介して入力することにより、測定制御部によって焦点距離調整部と絞り値変更部とが上記動作の下に所定の光学条件に設定され、当該設定条件で測定された固体撮像素子からの電気信号が、表示部に表示されることとなる。この結果、複数種別の固体撮像素子の中から任意のものを被検査対象として、当該検査装置のみによって、所定条件下における測定、及び測定結果の評価までを行うことができるようになる。
【発明の効果】
【００１６】
本発明に係る固体撮像素子の検査装置によれば、固体撮像素子に向けて照明を行う光源と、光源からの光を固体撮像素子に導く光学系とを有し、光学系が、光軸を固体撮像素子に向ける光学レンズと、この光学レンズを光軸と平行に移動させる焦点距離調整部とを備えたので、焦点距離調整部によって光学レンズを移動させることで、固体撮像素子に照射させる光の焦点距離が可変可能となり、従来、単焦点だけで評価していた固体撮像素子の光学特性が、ズームカメラ仕様に対応するテレ端、ワイド端で評価することができるようになる。この結果、光学ズームカメラ特性に対応するテレ端、ワイド端でのシェーディング特性を測定可能にし、当該検査を通じて広範囲の光学特性が保障された固体撮像素子を得ることができるようになる。
【発明を実施するための最良の形態】
【００１７】
以下、本発明に係る固体撮像素子の検査装置の好適な実施の形態を図面を参照して説明する。
図１は本発明に係る検査装置の概略構成を表す断面図、図２は図１に示した検査装置の制御系のブロック図、図３はテレ端、ワイド端別の焦点距離、絞り値、シェーディングパターンの例を（ａ）、撮像素子サンプル毎のパターン別評価を（ｂ）に表した評価説明図、図４は記憶手段に記憶される各種光学レンズ毎の焦点距離値、絞り値のデータテーブルを表した説明図である。
本実施の形態による固体撮像素子の検査装置１００は、基本的に、電極にプローブ針を接触させた固体撮像素子に対し、所定条件の光を照射しながら、信号印加と信号読み出しを行うことで検査を行う。
【００１８】
検査装置１００は、主としてプローバー１１と図２に示す測定器１３とを組み合わせた構成となっている。このうちプローバー１１は、固体撮像素子（図示せず）が形成されたウェーハ１５の上に配置するプローブカード１７と、プローブカード１７を取り付ける測定用基板１９と、固体撮像素子へ光を照射する光源２１とから構成され、測定器１３はプローバー１１、測定用基板１９および光源２１を制御する制御系を備えた構成となっている。
【００１９】
光源２１にはランプからなる発光源２１ａと、発光源２１ａから出射された光を平行光に変換するレンズ２１ｂとが設けられている。さらに、プローブカード１７にはプローブ針１７ａが取り付けられており、このプローブ針１７ａを測定対象のウェーハ１５に形成された固体撮像素子の電極パッド（図示せず）に接触させることで信号の入出力を行う。
【００２０】
本実施の形態における検査装置１００は、光源２１からの光を固体撮像素子に導く光学系２３を備える。光学系２３は、光軸を固体撮像素子に向ける光学レンズ２５と、この光学レンズ２５を光軸と平行に移動させる焦点距離調整部２７とを備えている。すなわち、ズームレンズを搭載するデジタルカメラ関係機器用の固体撮像素子を検査するにあたって、従来の単焦点レンズから、実使用状態と殆ど同じズームレンズを検査光学系２３に取り入れている。つまり、テレ撮影からワイド撮影にかけての評価を可能にしている。なお、光学系２３は、基本的にテレ端、ワイド端の２点での評価を行うが、これに限らず、焦点距離値は、任意の多段階で調節されてもよい。
【００２１】
焦点距離調整部２７の具体的な構成としては、プローブカード１７にレンズ保持筒２９を固定し、このレンズ保持筒２９の内方にレンズホルダ３１に保持した光学レンズ２５を配設する。レンズホルダ３１は可動手段３３を介してレンズ保持筒２９に多条ネジ等により係合され、可動手段３３は光学レンズ２５をレンズホルダ３１ごと光軸と平行な方向Ｈに移動させる。可動手段３３としては、例えば進行波を回転エネルギーに変える超音波モーターを用いることができる。この可動手段３３を備えた焦点距離調整部２７は、測定器１３から送出される焦点距離制御信号によって駆動制御される。
【００２２】
また、光学系２３には絞り値を変更する絞り値変更部３５が、光学レンズ２５と固体撮像素子との間に設けられている。光学系２３は、絞り値変更部３５によって固体撮像素子に照射される光量を、絞り開口部３７をＤ方向に拡縮調節することで、ズームカメラ仕様に対応するテレ端、ワイド端における光量が正確に設定可能となる。これにより、光量調節が行われない場合に比べ、光学ズームカメラ特性に対応したテレ端、ワイド端での評価をより高精度に行うことができるようになっている。
【００２３】
図２に示すように、測定器１３は、その主要構成部として測定制御部４１を有している。測定制御部４１は、例えばＣＰＵからなる。焦点距離調整部２７と、絞り値変更部３５とは、この測定制御部４１から送出される焦点距離制御信号ｃ１と、絞り値制御信号ｃ２とによって自動制御される。測定制御部４１から焦点距離調整部２７へ焦点距離制御信号ｃ１が送出されるとともに、絞り値変更部３５へ絞り値制御信号ｃ２が送出されることにより、焦点距離調整部２７での光学系２３が所定位置に移動されるとともに、固体撮像素子に照射される光量が所定量に調節され、光学ズームカメラ特性に対応したテレ端、ワイド端のそれぞれの光学条件が自動で設定可能となっている。
【００２４】
また、測定制御部４１には、異なるレンズタイプに対応する複数の焦点距離値及び絞り値を格納した記憶手段（メモリ）４３が接続されている。測定制御部４１は、被検査対象となる固体撮像素子の種別に応じた焦点距離値及び絞り値を、この記憶手段４３から読み出して、対応する焦点距離制御信号ｃ１及び絞り値制御信号ｃ２を、焦点距離調整部２７と絞り値変更部３５とのそれぞれに送出するようになっている。
【００２５】
記憶手段４３は、上記の異なるレンズタイプに対応する複数の焦点距離値及び絞り値を、例えば図３に示すデーターテーブル４５として格納している。データーテーブル４５は、第１フィールドがI、II、III等のレンズタイプ、第２フィールドが２８〜８５ｍｍ等の焦点距離値、第３フィールドがＦ３．３〜Ｆ５．６等の絞り値となる。
【００２６】
このように、固体撮像素子の種別に応じた焦点距離値及び絞り値を格納した記憶手段４３が測定制御部４１に接続されているので、複数種類の固体撮像素子を測定する場合においても、被検査対象となる固体撮像素子に応じた焦点距離値及び絞り値が記憶手段４３から読み出され、これらに対応する焦点距離制御信号ｃ１及び絞り値制御信号ｃ２によって、焦点距離調整部２７と絞り値変更部３５とが制御できるようになっている。この結果、複数種類の固体撮像素子の中から任意の固体撮像素子を、当該固体撮像素子固有の光学条件下で測定することができるようになっている。
【００２７】
さらに、測定制御部４１には、固体撮像素子の種別を入力する入力操作部４７と、照射光により固体撮像素子に生じた電気信号を表示する表示部４９とが接続されている。したがって、被検査対象となる固体撮像素子の種別を入力操作部４７を介して入力することにより、測定制御部４１によって焦点距離調整部２７と
絞り値変更部３５とが上記動作の下に所定の光学条件に設定され、当該設定条件で測定された固体撮像素子からの電気信号ｐ１が、表示部４９に表示されることとなる。この結果、複数種別の固体撮像素子の中から任意のものを被検査対象として、当該検査装置１００のみによって、所定条件下における測定、及び測定結果の評価までを行うことができるようになっている。
【００２８】
なお、測定制御部４１は、ウェーハ１５の保持されたステージ５１を、所望の固体撮像素子が検査位置に配置されるように、ＸＹ方向へ移動させるための移動制御信号ｃ３も送出する。
【００２９】
次に、このように構成される検査装置１００の作用を説明する。
本実施の形態における検査装置１００で固体撮像素子の光学特性を検査するには、先ず、被検査対象となる固体撮像素子が形成されたウェーハ１５をプローバー１１にセットし、そのウェーハ１５の上方に測定用基板１９及びプローブカード１７を配置する。
次に、プローブカード１７とウェーハ１５との位置合わせを行い、被検査対象となる固体撮像素子の電極パッドにプローブ針１７ａを接触させる。
【００３０】
次いで、測定を行うため、光源２１の発光源２１ａから光を出射し、レンズ２１ｂを介して平行光を出射する。この平行光は光学系２３によって実際の撮像装置で使用されるものと同様な光量分布となって被検査対象の固体撮像素子へ照射される。
【００３１】
ズームレンズを搭載するデジタルカメラ関係機器用の固体撮像素子を検査するにあたっては、当該固体撮像素子の種別が入力操作部４７に入力されることで、測定制御部４１によって当該固体撮像素子に応じたテレ端、ワイド端の焦点距離値及び絞り値が記憶手段４３から読み込まれる。この焦点距離値及び絞り値に応じた焦点距離制御信号ｃ１及び絞り値制御信号ｃ２が、焦点距離調整部２７と絞り値変更部３５へと送出され、実使用状態と同じ光学条件で被検査対象の固体撮像素子へ光源２１からの光が照射される。
【００３２】
具体的な一例として、図４（ａ）に示すように、テレ端では、焦点距離値が８５ｍｍ、絞り値がＦ５．６、シェーディングパターンがＡで設定され、ワイド端では、焦点距離値が２８ｍｍ、絞り値がＦ３．３、シェーディングパターンがＢで設定される。
【００３３】
次に、このような光学系２３を介して光を照射した状態で、固体撮像素子の電極パッドから出力される電気信号ｐ１（光電変換によって得られた信号）を予め電極パッドに接触させておいたプローブ針１７ａを介して取り込み、プローブカード１７から測定用基板１９へ送る。
【００３４】
測定用基板１９へ送られた電気信号ｐ１は最終的に測定制御部４１へと入力され、ここで所定の演算によって光学特性の評価が行われる。また、別の固体撮像素子の特性評価を行う場合には、プローバー１１に被検査対象の固体撮像素子が形成された別のウェーハ１５をセットする。そして、このウェーハ１５の上方に測定用基板１９及びプローブカード１７を配置する。この際、入力操作部４７に固体撮像素子の種別を入力することで、被検査対象となる固体撮像素子に適用される実際のレンズ系と同じ焦点距離値、絞り値に光学系２３がセットされる。
【００３５】
その後は先に説明した手順と同様に、光源２１から光を出射し、セットした光学系２３を介して実際の撮像装置で使用されるものと同様な光量分布の光を固体撮像素子へ照射し、固体撮像素子の電極パッドから出力される電気信号ｐ１に基づき表示部４９にて特性評価を行う。
【００３６】
具体的には、図４（ｂ）に示すように、固体撮像素子の被検査対象（サンプル）別に、表示部４９に表示されたシェーディングパターンＡ，Ｂを目視して、良（図中、白丸印）、不良（図中、Ｘ印）、修正（図中、三角印）等の評価を行う。
【００３７】
これにより、従来単焦点だけで評価していた素子の光学特性が、実使用状態に合わせたテレ端、ワイド端で評価される。このように、焦点距離調整部２７によって光学レンズ２５を移動させることで、固体撮像素子に照射させる光の焦点距離が可変可能となり、従来、単焦点だけで評価していた固体撮像素子の光学特性が、ズームカメラ仕様に対応するテレ端、ワイド端で、表示部４９により評価されることとなる。
【００３８】
したがって、上記の固体撮像素子の検査装置１００によれば、固体撮像素子に向けて照明を行う光源２１と、光源２１からの光を固体撮像素子に導く光学系２３とを有し、光学系２３が、光軸を固体撮像素子に向ける光学レンズ２５と、この光学レンズ２５を光軸と平行に移動させる焦点距離調整部２７とを備えたので、焦点距離調整部２７によって光学レンズ２５を移動させることで、固体撮像素子に照射させる光の焦点距離が可変可能となり、従来、単焦点だけで評価していた固体撮像素子の光学特性が、ズームカメラ仕様に対応するテレ端、ワイド端で評価することができるようになる。この結果、光学ズームカメラ特性に対応するテレ端、ワイド端でのシェーディング特性を測定可能にし、当該検査を通じて広範囲の光学特性が保障された固体撮像素子を得ることができるようになる。
【図面の簡単な説明】
【００３９】
【図１】本発明に係る検査装置の概略構成を表す断面図である。
【図２】図１に示した検査装置の制御系のブロック図である。
【図３】記憶手段に記憶される各種光学レンズ毎の焦点距離値、絞り値のデータテーブルを表した説明図である。
【図４】テレ端、ワイド端別の焦点距離、絞り値、シェーディングパターンの例を（ａ）、撮像素子サンプル毎のパターン別評価を（ｂ）に表した評価説明図である。
【符号の説明】
【００４０】
１７ａ  プローブ針
２１  光源
２３  光学系
２５  光学レンズ
２７  焦点距離調整部
３５  絞り値変更部
４１  測定制御部
４３  記憶手段
４７  入力操作部
４９  表示部
１００  固体撮像素子の検査装置
ｃ１  焦点距離制御信号
ｃ２  絞り値制御信号
【図１】
2007103787.tif 000003
【図２】
2007103787.tif 000004
【図３】
2007103787.tif 000005
【図４】
2007103787.tif 000006